(57)【要約】      （修正有）【課題】発泡ウレタンフォームや発泡スチロール等の断熱用成型パネルは、壁面等に使用する場合には断熱用成型パネルと壁面に隙間が出来る、又は無理に押し込んで壁面に負荷を与えていた。ガラス繊維や木質繊維等の綿状断熱材は、壁面等に使用する場合は壁面との隙間は出来づらいが、湿気を吸湿し凝縮や変形が発生し壁面から剥離、離脱が発生していた。【解決手段】塩化ビニル等の材質で作られた複数の空気室が表裏両面に散在するシート又は空気室が表裏片面に散在するシートを、接着溶液による接着又は熱による溶着、両面接着テープ等で貼り合せた複数の空気室が散在する複層構造の断熱シートを発泡ウレタンフォームや発泡スチロール等の発泡材質で作られた断熱用成型パネル２枚の間に、接着溶液による接着又は熱による溶着、両面接着テープ等で貼り合せた構造の複数素材構造による複層断熱パネルにより解決した。【選択図】図１０
2006299766.tif 000002
【特許請求の範囲】
【請求項１】
塩化ビニル等の材質で作られた複数の空気室が表裏両面に散在したシートを、接着溶液による接着又は熱による溶着、両面接着テープ等で貼り合せた複数の空気室が散在する複層構造の断熱シート。
【請求項２】
塩化ビニル等の材質で作られた複数の空気室が表裏片面に散在したシートを、接着溶液による接着又は熱による溶着、両面接着テープ等で貼り合せた複数の空気室が散在する複層構造の断熱シート。
【請求項３】
「請求項１記載の複数の空気室が散在する複層構造の断熱シート」を発泡ウレタンフォームや発泡スチロール等の発泡材質で作られた断熱用パネル２枚の間に、接着溶液による接着又は熱による溶着、両面接着テープ等で貼り合せた構造。
【請求項４】
「請求項２記載の複数の空気室が散在する複層構造の断熱シート」を発泡ウレタンフォームや発泡スチロール等の発泡材質で作られた断熱用パネル２枚の間に、接着溶液による接着又は熱による溶着、両面接着テープ等で貼り合せた構造。
【請求項５】
「請求項１記載の複数の空気室が散在する複層構造の断熱シート」と「請求項２記載の複数の空気室が散在する複層構造の断熱シート」を発泡ウレタンフォームや発泡スチロール等の発泡材質で作られた断熱用パネル２枚の間に、接着溶液による接着又は熱による溶着、両面接着テープ等で貼り合せた構造。
【請求項６】
「請求項１記載の複数の空気室が散在する複層構造の断熱シート」を発泡ウレタンフォームや発泡スチロール等の発泡材質で作られた断熱用パネル複数枚の間それぞれに、接着溶液による接着又は熱による溶着、両面接着テープ等で貼り合せた構造。
【請求項７】
「請求項２記載の複数の空気室が散在する複層構造の断熱シート」を発泡ウレタンフォームや発泡スチロール等の発泡材質で作られた断熱用パネル複数枚の間それぞれに、接着溶液による接着又は熱による溶着、両面接着テープ等で貼り合せた構造。
【発明の詳細な説明】
【技術分野】
【０００１】本発明は、壁面等に使用する断熱材に関する発明である。
【背景技術】
【０００２】従来の壁面等の断熱に使用する断熱材は発泡ウレタンフォームや発泡スチロール等の発泡材質で作られた断熱用成型パネルやガラス繊維や木質繊維等の材質で作られた綿状断熱材であった。
【発明の開示】
【発明が解決しようとする課題】
【０００３】発泡ウレタンフォームや発泡スチロール等の断熱用成型パネルは、板厚さが一定の規格寸法で、壁面などに使用する場合は断熱用成型パネルと壁面に隙間が出来る、又は無理に押し込んで壁面に負荷を与えていた。【０００４】さらに、温度変化による壁面の伸縮に対しての柔軟性が無く、壁面が収縮した場合は壁に負荷がかかり、壁面が膨張した場合は断熱材と隙間が生じていた。【０００５】ガラス繊維や木質繊維等の材質で作られた綿状断熱材は、壁面などに使用する場合は壁面との隙間は出来づらく、温度変化による壁面の伸縮に対しての柔軟性はあるが、湿気により凝縮や変形が発生し壁面から剥離、離脱が発生することにより、壁面などの間に隙間が生じていた。【０００６】また、吸湿した結果、通気性が悪くなりカビも発生するなど衛生的にも問題を発生していた。
【課題を解決するための手段】
【０００７】塩化ビニル等の材質で作られた複数の空気室が表裏両面に散在するシート（これ以降、複数空気室両面散在シートと呼称する）又は空気室が表裏片面に散在するシート（これ以降、複数空気室片面散在シートと呼称する）を、接着溶液による接着又は熱による溶着、両面接着テープ等で貼り合せた複数の空気室が散在する複層構造の断熱シート（これ以降、複数空気室散在複層構造断熱シートと呼称する）を発泡ウレタンフォームや発泡スチロール等の発泡材質で作られた断熱用成型パネル２枚の間に、接着溶液による接着又は熱による溶着、両面接着テープ等で貼り合せた構造の複数素材構造による複層断熱パネルにより解決した。
【発明の効果】
【０００８】塩化ビニル等の材質で作られた複数空気室両面散在シート又は複数空気室片面散在シートを、接着溶液による接着又は熱による溶着、両面接着テープ等で貼り合せた複数空気室散在複層構造断熱シートを発泡ウレタンフォームや発泡スチロール等の発泡材質で作られた断熱用成型パネル２枚の間に、接着溶液による接着又は熱による溶着、両面接着テープ等で貼り合せた構造の複数素材構造による複層断熱パネルは、温度変化による外壁の伸縮を複数空気室散在複層構造断熱シートにより、その特徴である散在した複数の空気室は、それぞれの空気室との間に空間があるために壁面方向に対して９０度の方向に膨張し伸縮を吸収することにより壁面への負荷を無くした。【０００９】さらに、散在した複数の空気室はそれぞれの空気室との間に空間があるために空気が移動することにより空気室の温度を一定に保ち断熱効果の低下を防ぐことが出来る。【００１０】また、散在した複数の空気室はそれぞれの空気室との間に空間があるために、通気性がよく、カビの発生を激減させる。【００１１】複数空気室散在複層構造断熱シートに空気室があることで壁面の外からの熱を空気層が有ることで熱の伝導を妨げ、断熱効果を上げる。
【発明を実施するための最良の形態】
【００１２】塩化ビニル等の材質で作られた複数空気室両面散在シート又は複数空気室片面散在シートを、接着溶液による接着又は熱による溶着、両面接着テープ等で貼り合せた複数空気室散在複層構造断熱シートを発泡ウレタンフォームや発泡スチロール等の発泡材質で作られた断熱用成型パネル２枚の間に、接着溶液による接着又は熱による溶着、両面接着テープ等で貼り合せた構造の複数素材構造による複層断熱パネル。
【実施例】
【００１３】建築物の外壁と内壁の間や天井裏、床下に取り付ける。【００１４】保温又は冷蔵保管運搬車両の格納室の外壁と内壁の間や天井裏、床下に取り付ける【００１５】車両や電車、船舶で使用するコンテナの外壁と内壁の間や天井裏、床下に取り付ける【００１６】車両の天井や、ドア、トランクルームに取り付ける。【００１７】船舶の船体や船室の外壁と内壁の間や天井裏、床下に取り付ける。【００１８】航空機の機体の外壁と内壁の間や天井裏、床下に取り付ける。
【図面の簡単な説明】
【００１９】
【図１】上面図
【図２】正面図
【図３】右側面図
【図４】参考斜視図
【図５】正面図に透視図
【図６】部分断面箇所を示す  正面図
【図７】部分断面状態を示す  上面図
【図８】部分断面状態を示す  正面図
【図９】部分断面状態を示す  右側面図
【図１０】部分断面状態を示す  参考斜視図
【図１１】矢視ｂ−ｂを拡大した部分断面を示す右側面図
【符号の説明】
【００２０】１１    発泡材質で作られた断熱用成型パネル
１２    発泡材質で作られた断熱用成型パネル
２１    複数空気室片面散在シート
２２    複数空気室片面散在シート
２３    複数空気室片面散在シート
２１ｂ  符号２１の空気室の断面
２２ｂ  符号２２の空気室の断面
２３ｂ  符号２３の空気室の断面
【図１】
2006299766.tif 000003
【図２】
2006299766.tif 000004
【図３】
2006299766.tif 000005
【図４】
2006299766.tif 000006
【図５】
2006299766.tif 000007
【図６】
2006299766.tif 000008
【図７】
2006299766.tif 000009
【図８】
2006299766.tif 000010
【図９】
2006299766.tif 000011
【図１０】
2006299766.tif 000012
【図１１】
2006299766.tif 000013